(57)【要約】【課題】現在時刻の表示に関して省電力化できると共に、ユーザーサイドに不便さがないようにする。【解決手段】  オーディオソースの記録／再生部１と、表示部４と、「時計を有し、記録／再生部１と表示部４を制御するマイコン２」と、「記録／再生部１及びマイコン２に給電する電源オンモードとマイコン２に給電するスタンバイモードに切換える切換部６」を有する。複数の設定時間帯において、スタンバイモード時に、マイコン２が、それぞれ、異なる表示周期で、表示部４に現在時刻を表示させる。【選択図】  図１
2008032463.tif 000002
【特許請求の範囲】
【請求項１】
Ａ．オーディオ／ビジュアルソースの記録／再生手段と、
Ｂ．表示手段と、
Ｃ．時計を有し、記録／再生手段と表示手段を制御する制御手段と、
Ｄ．記録／再生手段及び制御手段に給電する電源オンモードと制御手段に給電するスタ    ンバイモードに切換える切換手段
を有するものにおいて、
複数の設定時間帯において、スタンバイモード時に、制御手段が、それぞれ、異なる表示周期で、表示手段に現在時刻を表示させるオーディオ／ビジュアル機器の時計表示装置。
【請求項２】
制御手段への指示により、表示手段に現在時刻を表示させる時刻表示操作手段
を有し、
表示周期の計測中に、時刻表示操作手段の操作により、現在時刻を表示した場合に、制御手段が上記表示から表示周期を計測する請求項１記載のオーディオ／ビジュアル機器の時計表示装置。
【請求項３】
制御手段に指示して、タイマー設定時刻に、記録／再生手段により、オーディオ／ビ  ジュアルソースを記録／再生させるタイマー操作手段
を有し、
タイマー設定時刻の所定時間前であるタイマー用表示時刻に、制御手段が、表示手段に現在時刻を表示させる請求項１又は２記載のオーディオ／ビジュアル機器の時計表示装置。
【請求項４】
制御手段への指示により、記録／再生手段を設定時間作動させた後に、スタンバイモ  ードに切換えさせるスリープ操作手段
を有し、
スリープ操作手段の操作後のスタンバイモード時に、制御手段が、表示手段に現在時刻を表示させない請求項１〜３の何れかに記載のオーディオ／ビジュアル機器の時計表示装置。
【発明の詳細な説明】
【技術分野】
【０００１】
本発明は、オーディオ／ビジュアル機器（Ａ／Ｖ機器）の時計表示装置に関する。
【背景技術】
【０００２】
オーディオ／ビジュアル機器では、オーディオ／ビジュアルソースを記録／再生する記録／再生部と、オーディオ／ビジュアルソースや現在時刻を表示する液晶等の表示部と、時計を有し且つ記録／再生部と表示部を制御する制御部と、記録／再生部に給電する電源オンモードと制御部に給電するスタンバイモードに切換える電源スイッチを有するものがある（例えば、特許文献１参照）。
【０００３】
上記従来のものでは、スタンバイモード時には、記録／再生部には給電しないため、この点では、省電力化できる。しかし、上記従来のものでは、スタンバイモード時でも、表示部に現在時刻を常時表示して、この表示に電力が必要なため、この点において、省電力化に問題があった。
【０００４】
【特許文献１】特開２００３−１０７１７９号公報
【発明の開示】
【発明が解決しようとする課題】
【０００５】
本発明は、現在時刻の表示に関して省電力化できると共に、ユーザーサイドに不便さがないオーディオ／ビジュアル機器の時計表示装置を提供することを目的とする。
【課題を解決するための手段】
【０００６】
上記目的を達成するために、本発明の特徴とするところは、Ａ．オーディオ／ビジュアルソースの記録／再生手段と、Ｂ．表示手段と、Ｃ．時計を有し、記録／再生手段と表示手段を制御する制御手段と、Ｄ．記録／再生手段及び制御手段に給電する電源オンモードと制御手段に給電するスタンバイモードに切換える切換手段を有するものにおいて、複数の設定時間帯において、スタンバイモード時に、制御手段が、それぞれ、異なる表示周期で、表示手段に現在時刻を表示させる点にある。
尚、制御手段への指示により、表示手段に現在時刻を表示させる時刻表示操作手段を有し、表示周期の計測中に、時刻表示操作手段の操作により、現在時刻を表示した場合に、制御手段が上記表示から表示周期を計測することもある。
又、制御手段に指示して、タイマー設定時刻に、記録／再生手段により、オーディオ／ビジュアルソースを記録／再生させるタイマー操作手段を有し、タイマー設定時刻の所定時間前であるタイマー用表示時刻に、制御手段が、表示手段に現在時刻を表示させることもある。
更に、制御手段への指示により、記録／再生手段を設定時間作動させた後に、スタンバイモードに切換えさせるスリープ操作手段を有し、スリープ操作手段の操作後のスタンバイモード時に、制御手段が、表示手段に現在時刻を表示させないこともある。
【発明の効果】
【０００７】
本発明によれば、人間の１日の生活リズムに対応させて、設定時間帯及び現在時刻の表示周期を設定することにより、ユーザーに必要と考えられる時間のみ表示手段に現在時刻を表示できるので、現在時刻の表示に関して、省電力化できると共に、ユーザーサイドに不便さはない。
請求項２記載の発明によれば、表示手段に現在時刻が表示されていない場合でも、時刻表示操作手段の操作により、表示手段に現在時刻を表示できると共に、時刻表示操作手段の操作により、現在時刻を表示した場合に、制御手段が上記表示から表示周期を計測するので、現在時刻の表示周期をユーザー個々の生活リズム（生活パターン）に対応させることができる。
請求項３記載の発明によれば、タイマー設定時刻とタイマー用表示時刻間の時間を、人間の生活リズムを考慮して、設定することにより、タイマー操作手段による設定時に、ユーザーに必要と考えられる時間のみ表示手段に現在時刻を表示できるので、現在時刻の表示に関して、省電力化できると共に、ユーザーサイドに不便さはない。
請求項４記載の発明によれば、現在時刻の表示に関し、ユーザー個々の生活リズム（生活パターン）に応じて、より一層省電力化できる。
【発明を実施するための最良の形態】
【０００８】
以下、本発明をオーディオ機器に適用した実施の形態の一例を図面に基づき説明すると、図１はオーディオ機器を示し、記録／再生部１と、マイコン（マイクロコントローラ、システムコントローラ、制御装置、制御手段）２と、操作部３と、表示部４等を有する。
【０００９】
記録／再生部１は、記録／再生手段として例示されるもので、オーディオソースを記録媒体に記録したり、オーディオソースの再生を行う。
【００１０】
マイコン２は、制御手段として例示されるもので、タイマー処理、スリープ処理、時計処理及び電源処理等を行うもので、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有する。ＣＰＵは内蔵時計（図示省略）を有しており、この内蔵時計に基づき、表示部４に現在時刻を表示する等の時計処理や、タイマー処理を行う。
【００１１】
操作部３は操作手段として例示されるもので、切換部６と、クロックコールキー７と、タイマー操作部８と、スリープ操作部９等を有する。切換部６は、マイコン２への指示により、マイコン２に電源処理させて、記録／再生部１及び制御部に給電する電源オンモードと、制御部に給電するスタンバイモードと、記録／再生部１及びマイコン２の何れにも給電しない電源オフモードに切換えるもので、電源スイッチ１０と、スタンバイキー１１を有する。電源スイッチ１０はハードウェア的にオーディオ機器の電源をオン・オフするもので、その操作により、電源オンモードと電源オフモードに切換えできると共に、スタンバイモード時に、電源スイッチ１０の操作により、電源オンモードに切換えできる。又、電源オンモード時に、スタンバイキー１１の操作により、スタンバイモードに切換えできる。尚、電源スイッチ１０とスタンバイキー１１を一体化して、切換スイッチとし、その操作により、電源オンモードとスタンバイモードに切換え可能として、切換スイッチにより、ハードウェア的にオーディオ機器の電源をオン・オフできないようにすることもある。又、クロックコールキー７は、時刻表示操作手段として例示されるもので、例えば、その押圧操作によるマイコン２への指示により、表示部４に現在時刻が表示される。タイマー操作部８は、タイマー操作手段として例示されるもので、マイコン２への指示により、マイコン２にタイマー処理させて、タイマー設定時刻に、オーディオソースの記録／再生がタイマー設定時間行われる。尚、タイマー設定時間には、文字通りの「時間」と、「所定の動作の終了までの時間」を含んでいる。「所定の動作の終了までの時間」とは、例えば、ＣＤの再生時間等を意味している。スリープ操作部９は、スリープ操作手段を例示するもので、マイコン２への指示により、マイコン２にスリープ処理させて、オーディオソースの記録／再生がスリープ設定時間行われる。スリープ設定時間とは、上記同様に、文字通りの「時間」と、「所定の動作の終了までの時間」を含んでいる。「所定の動作の終了までの時間」とは、例えば、ＣＤの再生中に、スリープ操作部９を操作した際において、ＣＤの残りの再生時間を意味している。尚、クロックコールキー７と、タイマー操作部８と、スリープ操作部９等の各操作部は、数字キー、カーソルキー、実行キー、ダイヤル、その他の操作手段から成り、各操作部を構成するキー等は一部共通化されたり、兼用されたりする場合がある。
【００１２】
表示部４は、オーディオソース情報や現在時刻を表示する表示手段として例示されるもので、例えば、所定桁数のキャラクタディスプレイから成るＦＬディスプレイ（液晶表示体）等が使用される。オーディオソース情報とは、例えば、曲名、アーティスト名、ラジオ局名等を意味している。
【００１３】
次に、オーディオ機器における、電源オンモードからスタンバイモードまでの制御のフローチャートについて、図２に基づき説明する。まず、電源オンモードでは、ステップＳ１で、スリープ処理が実行されたか、否かが判断される。ＮＯであれば、ステップＳ５に移り、ＹＥＳであれば、ステップＳ２に移る。ステップＳ２では、スリープ実行フラグがセットされて、スタンバイモードに移行し、ステップＳ３に移る。ステップＳ３では、表示部４に現在時刻が表示されず、ステップＳ４に移る。ステップＳ４では、現在時刻「ＨＨ：ＭＭ」が、記憶手段、例えば、ＲＡＭに格納されて、スタンバイモードとなる。
【００１４】
ステップＳ５では、スタンバイキー１１が押されたか、否かが判断される。ＮＯであれば、ステップＳ１に戻り、ＹＥＳであれば、ステップＳ６に移る。ステップＳ６では、スタンバイモードに移行し、ステップＳ７に移る。ステップＳ７では、表示部４に現在時刻を表示すべき時計表示モードであるか、否かが判断される。ＮＯであれば、ステップＳ３に移り、ＹＥＳであれば、ステップＳ８に移る。ステップＳ８では、表示部４に現在時刻が表示され、ステップＳ４に移る。
【００１５】
次に、オーディオ機器における、スタンバイモードから電源オンモードまでの制御のフローチャートについて、図３に基づき説明する。まず、スタンバイモードでは、ステップＲ１で、時計表示モードか、否かが判断される。ＮＯであれば、スタンバイモードに戻り、ＹＥＳであれば、ステップＲ２に移る。ステップＲ２では、表示部４に現在時刻が表示中か、否かが判断される。ＹＥＳであれば、ステップＲ１１に移り、ＮＯであれば、ステップＲ３に移る。
【００１６】
ステップＲ３では、クロックコールキー７が押されたか、否かが判断される。ＹＥＳであれば、ステップＲ１４に移り、ＮＯであれば、ステップＲ４に移る。ステップＲ４では、午前中にタイマー設定時刻があるか、否かが判断される。ＮＯであれば、ステップＲ６に移り、ＹＥＳであれば、ステップＲ５に移る。ステップＲ５では、現在時刻がタイマー設定時刻の１時間３０分前か、否かが判断される。ＹＥＳであれば、ステップＲ１３に移り、ＮＯであれば、ステップＲ６に移る。
【００１７】
ステップＲ６では、スリープ実行フラグがセットされたか、否かが判断される。ＮＯであれば、ステップＲ１５に移り、ＹＥＳであれば、ステップＲ７に移る。ステップＲ７では、表示部４に現在時刻が表示されず、ステップＲ８に移る。ステップＲ８では、電源オンモードにされたか、否かが判断される。ＮＯであれば、ステップＲ１０に移り、ＹＥＳであれば、ステップＲ９に移る。ステップＲ９では、スリープ実行フラグがクリアーされて、電源オンモードとなる。ステップＲ１０では、タイマー処理が実行されたか、否かが判断される。ＹＥＳであれば、ステップＲ９に移り、ＮＯであれば、スタンバイモードに戻る。
【００１８】
ステップＲ１１では、「ＨＨ：ＭＭ＋３０」が現在時刻であるか、否かが判断される。ＮＯであれば、ステップＲ１３に移り、ＹＥＳであれば、ステップＲ１２に移る。ステップＲ１２では、現在時刻「ＨＨ：ＭＭ」がＲＡＭに格納されて、ステップＲ７に移る。ステップＲ１３では、表示部４に現在時刻が表示されて、ステップＲ８に移る。ステップＲ１４では、表示部４に現在時刻が表示されて、ステップＲ１３に移る。
【００１９】
ステップＲ１５では、「ＨＨ：ＭＭ」が午前０時から１２時の間にあるか、否かが判断される。ＮＯであれば、ステップＲ１８に移り、ＹＥＳであれば、ステップＲ１６に移る。ステップＲ１６では、「ＨＨ：ＭＭ＋６０」が現在時刻であるか、否かが判断される。ＮＯであれば、ステップＲ７に移り、ＹＥＳであれば、ステップＲ１７に移る。ステップＲ１７では、現在時刻「ＨＨ：ＭＭ」がＲＡＭに格納されて、ステップＲ１３に移る。ステップＲ１８では、「ＨＨ：ＭＭ＋４５」が現在時刻であるか、否かが判断される。ＮＯであれば、ステップＲ７に移り、ＹＥＳであれば、ステップＲ１７に移る。
【００２０】
次に、具体的に説明すると、本例では、電源オンモード時には、表示部４にオーディオソース情報や現在時刻等が常時表示されている。尚、現在時刻を常時表示しない場合もある。又、スタンバイモード時に、下記のようにして、現在時刻の表示部４への表示周期を決定している。
【００２１】
（１）  一般的には、午前０時から午前６時又は７時までの間は、ユーザーが就寝中であることが多く、その他の時間では、ユーザーが起きていて、行動中であることが多いと考えられる。
（２）  上記事情を考慮すると共に、時間の区切りをよくするために、まず、１日を、午前０時から午前１２時までの第１時間帯と、午後０時から午後１２時までの第２時間帯に分割する。
（３）  一般的に、人間のノンレム睡眠とレム睡眠から成る睡眠周期は約９０分で、９０分毎に睡眠が浅くなると考えられるので、ユーザーの就寝中には、就寝後（又は、就寝中に起きた場合には、再度、就寝した後）に、現在時刻の表示部４への表示周期を９０分とすることが好ましいと考えられる。
（４）  ユーザーが起きていて、行動中である場合には、一般的には、１時間を基本的な単位として、行動する場合が多いと考えられる。
（５）  上記（１）〜（３）を考慮して、本例では、現在時刻を表示部４に常時表示せず、基本的に、午前０時から午前１２時までの第１時間帯で、スタンバイモード時に（尚、スタンバイモード時だけでなく、電源オンモード時を含む場合もある。）、現在時刻の表示部４への表示周期を６０分とすると共に、現在時刻の表示部４への表示時間を３０分として、ユーザーの睡眠が浅くなる３０分前から表示部４に現在時刻を表示している。
（６）  又、上記（１）（２）（４）を考慮して、午後０時（午前１２時）から午前０時までの第２時間帯で、スタンバイモード時に（尚、スタンバイモード時だけでなく、電源オンモード時を含む場合もある。）、現在時刻の表示部４への表示周期を４５分とすると共に、現在時刻の表示部４への表示時間を３０分として、ユーザーの行動中の基本的な単位時間（１時間）の始まりの１５分前から３０分間、表示部４に現在時刻を表示している。
（７）  上記のように、スタンバイモード時には、ユーザーに必要と考えられる時間のみ表示部４に現在時刻を表示して、現在時刻の表示に関して、省電力化を図ると共に、ユーザーサイドに不便さがないようにしている。尚、１日を３つ以上の時間帯に分けることもある。
【００２２】
そして、表示部４に現在時刻が表示されていない場合でも、クロックコールキー７を押すことにより、現在時刻を表示部４に３０分間表示させるようにして、ユーザーが不便に感じないようにすると共に、マイコン２により、上記表示終了後から表示周期を計測するようにして、ユーザー個々の生活リズム（生活パターン）に対応させている。
【００２３】
ユーザーがタイマー操作部８によりタイマー設定をした場合には、そのタイマー設定時刻にはユーザーが起きると考えられる。この場合、人間の睡眠周期を考慮すると、タイマー設定時刻の１時間３０分前には、ユーザーの眠りが浅くなっていると考えられる。そこで、表示部４に現在時刻をタイマー設定時刻の１時間３０分前から３０分間表示して、ユーザーの生活リズムに対応させている。
【００２４】
ユーザーがスリープ操作部９によりスリープ設定をした場合には、ユーザーが就寝したいと考えられるので、第１・第２時間帯の何れの時間帯でも、表示部４に現在時刻を表示させず、省電力化を図っている。尚、この場合でも、タイマー設定時刻になったり、或いは、ユーザーが起きて、電源オンモードにした場合には、表示部４に現在時刻が表示されるので、ユーザーが不便さを感じることはない。
【００２５】
尚、上記実施の形態は、本発明をオーディオ機器に適用したものであるが、本発明はその他のオーディオ／ビジュアル機器にも適用可能である。尚、本件の特許請求の範囲や明細書で、オーディオ／ビジュアル機器、記録／再生部等に使用されている「／」は「及び／又は」を意味している。例えば、オーディオ／ビジュアル機器とは、オーディオソースとビジュアルソースの両者、又は、どちらか一方の再生と記録、又は、再生、記録の何れか一方を行えるものを意味している。尚、ビジュアルソースの再生時には、これが表示手段に表示される。
【図面の簡単な説明】
【００２６】
【図１】本発明の実施の形態の一例を示すブロック図である。
【図２】図１の制御方法を示すフローチャートである。
【図３】図１の制御方法を示すフローチャートである。
【符号の説明】
【００２７】
１  記録／再生部（記録／再生手段）
２  マイコン（制御手段）
３  操作部（操作手段）
４  表示部（表示手段）
６  切換部（切換手段）
７  クロックコールキー（時刻表示操作手段）
８  タイマー操作部（タイマー操作手段）
９  スリープ操作部（スリープ操作手段）
【図１】
2008032463.tif 000003
【図２】
2008032463.tif 000004
【図３】
2008032463.tif 000005